(57)【要約】【課題】乳母車を移動操作する人が不意に操作部材を操作するようなことがあっても、乳母車の開状態のロックが解除されない乳母車を提供する。【解決手段】折畳式乳母車は、反転部材３に係合して乳母車の開状態をロックする開状態ロック部材４と、開状態ロック部材４を移動操作して乳母車のロックを解除する操作部材６と、手摺部材７に回動可能に支持され開状態ロック部材４に直接当接して開状態ロック部材４の動きを禁止するストッパ１０とを備える。乳母車を閉状態に移行させるには、まず、操作部材６とは動作的および位置的に切り離して設けられたストッパ１０を回動操作し、その状態で引き続いて操作部材を操作することが必要である。【選択図】        図２
2004161039.tif 000002
【特許請求の範囲】
【請求項１】
車体の一部に係合して乳母車の開状態をロックする開状態ロック部材と、
前記開状態ロック部材を移動操作して乳母車の開状態のロックを解除する操作部材と、
前記操作部材とは動作的に切り離して設けられ、前記開状態ロック部材に直接当接して前記開状態ロック部材の動きを禁止する第１の位置と、前記開状態ロック部材から離れて前記開状態ロック部材の動きを許容する第２の位置との間を変位可能に設けられているストッパとを備える、折畳式乳母車。
【請求項２】
前記ストッパを前記第１の位置にもたらすように付勢する付勢手段を備える、請求項１に記載の折畳式乳母車。
【請求項３】
当該乳母車が開状態にあるとき、前記ストッパは自重によって前記第１の位置にもたらされる、請求項１に記載の折畳式乳母車。
【請求項４】
手摺部材と、
前記手摺部材の後端部に回動可能に連結された手摺支持部材と、
後輪を有する後脚と、
一方端が前記後脚に回動可能に連結され、他方端が前記手摺支持部材に回動可能に連結されており、乳母車の開状態から閉状態に移行するのに伴い反転動作を行う反転部材とを備え、
前記開状態ロック部材は前記手摺支持部材に沿って上下動可能に設けられ、下方位置にあるとき前記反転部材に係合して反転部材の動きを禁止するものであり、
前記ストッパは前記手摺支持部材に上下方向に変位可能に支持され、下方位置にあるとき前記開状態ロック部材に当接して開状態ロック部材の動きを禁止するものである、請求項１〜３のいずれかに記載の折畳式乳母車。
【請求項５】
前記ストッパは、その上端部が前記手摺支持部材に回動可能に連結されている、請求項４に記載の折畳式乳母車。
【発明の詳細な説明】
【０００１】
【発明の属する技術分野】
この発明は、開状態から閉状態（折畳み状態）に折畳むことのできる折畳式乳母車に関し、特に開状態のロックが不意に解除されないようにした折畳式乳母車に関するものである。
【０００２】
【従来の技術】
図１は、特開平１０−３５５０７号公報に開示された折畳式乳母車を示している。図示する乳母車は、一方端が後脚１に回動可能に連結され他方端がＵ字状の押棒２の下端部に回動可能に連結された反転部材３と、押棒２の下方領域上に上下動可能に支持され反転部材３に係合することにより乳母車の開状態をロックする開状態ロック部材４と、Ｕ字状の押棒２内に配置され下端が１対の開状態ロック部材４に連結されたワイヤ５と、ワイヤ５の引き上げ動作を行い得るようにＵ字状の押棒２の中央部分に設けられた操作部材６とを備える。
【０００３】
操作部材６を操作してワイヤ５を引き上げ、それに応じて開状態ロック部材４を上方に移動させると、開状態ロック部材４と反転部材３との係合が解かれ乳母車の折畳み動作への移行が可能となる。
【０００４】
【特許文献１】
特開平１０−３５５０７号公報（段落００２５、図１、図３）
【０００５】
【発明が解決しようとする課題】
乳母車を移動操作する人は、常に手を押棒上に載せている。そのため、乳母車を移動操作する人の意に反して、不意に操作部材に手が掛かりこの操作部材を操作してしまうことが起こり得る。その場合、乳母車の開状態のロックが解除された状態となり、折畳み動作への移行が可能な状態となる。乳母車の移動中にこのような事態となり、例えば前輪が障害物に衝突したとき、乳幼児が着座したままで折畳み動作を開始してしまうおそれがある。
【０００６】
この発明の目的は、乳母車を移動操作する人が不意に操作部材を操作するようなことがあっても、乳母車の開状態のロックが解除されない乳母車を提供することである。
【０００７】
【課題を解決するための手段】
この発明に従った折畳式乳母車は、車体の一部に係合して乳母車の開状態をロックする開状態ロック部材と、この開状態ロック部材を移動操作して乳母車の開状態のロックを解除する操作部材と、操作部材とは動作的に切り離して設けられたストッパとを備える。ストッパは、開状態ロック部材に直接当接して開状態ロック部材の動きを禁止する第１の位置と、開状態ロック部材から離れて開状態ロック部材の動きを許容する第２の位置との間を変位可能に設けられている。
【０００８】
上記構成の本発明によれば、操作部材とは動作的に切り離して別個に設けられているストッパを動かさない限り開状態ロック部材を移動させることはできないので、不意に操作部材を操作するようなことがあっても開状態のロックは解除されない。したがって、非常に安全性に優れた折畳式乳母車が得られる。
【０００９】
好ましくは、折畳式乳母車は、ストッパを第１の位置にもたらすように付勢する付勢手段を備える。このようにすれば、通常の使用状態では、付勢手段の付勢力によってストッパを開状態ロック部材の動きを禁止し得る第１の位置に安定して維持できるので安全上好ましい。また、乳母車を閉状態（折畳み状態）から開状態にしたとき、ストッパが自動的に第１の位置に復帰するのでストッパの掛け忘れを防止できる。
【００１０】
付勢手段を備える代わりに、当該乳母車が開状態にあるとき、ストッパを自重によって第１の位置にもたらすようにしてもよい。このようにすれば、ストッパの構造を非常にシンプルにすることができる。
【００１１】
一つの好ましい実施形態では、折畳式乳母車は、手摺部材の後端部に回動可能に連結された手摺支持部材と、後輪を有する後脚と、反転部材とを備える。反転部材は、その一方端が後脚に回動可能に連結され、他方端が手摺支持部材に回動可能に連結されており、乳母車の開状態から閉状態に移行するのに伴い反転動作を行う。開状態ロック部材は手摺支持部材に沿って上下動可能に設けられ、下方位置にあるとき反転部材に係合して反転部材の動きを禁止する。ストッパは手摺支持部材に上下方向に変位可能に支持され、下方位置にあるとき開状態ロック部材に当接して開状態ロック部材の動きを禁止する。ここで、好ましくは、ストッパは、その上端部が手摺支持部材に回動可能に連結されている。
【００１２】
【発明の実施の形態】
図２〜図５は、この発明の一実施形態を示している。図２は折畳式乳母車の開状態を示し、図３は折畳式乳母車の閉状態（折畳み状態）を示している。図示した乳母車の基本的なフレーム構造は、図１に示したものと実質的に同じである。
【００１３】
図示する折畳式乳母車は、後輪を有する後脚１と、Ｕ字状の押棒２と、一方端が後脚１に回動可能に連結され他方端が押棒２の下端部に回動可能に連結された反転部材３と、後端が押棒２に回動可能に連結された手摺部材７とを備える。
【００１４】
押棒２の下方領域上に上下動可能に支持された開状態ロック部材４は、押棒２内に延在しているワイヤ５に動作可能に連結されている。Ｕ字状の押棒２の中央部分には、ワイヤ５の引き上げ動作を行うための操作部材６が設けられている。
【００１５】
図２に示す乳母車の開状態においては、開状態ロック部材４が反転部材３に係合して乳母車の開状態をロックしている。図示する実施形態の特徴は、開状態ロック部材４の上方への動きを禁止するストッパ１０を設けた点にある。乳母車を開状態から閉状態に移行させる場合には、図５に示すように、ストッパ１０を手で回動操作し、この状態で操作部材６を操作してワイヤ５を上方に引き上げると、開状態ロック部材４が上方に移動し反転部材３との係合が解かれる。したがって、乳母車の閉状態への移行が可能となる。
【００１６】
図４を参照して、ストッパ１０に関連する構造を詳しく説明する。
【００１７】
ストッパ１０は、軸１１を介して手摺部材７の後方部分に回動可能に連結されている。手摺部材７には、ストッパ１０に当接してストッパ１０の図における反時計方向への回動を禁止する当たり止め１３が設けられている。ストッパ１０は、乳母車の開状態においては、自重によって図４に示す第１の位置、すなわち当たり止め１３に当接する位置にもたらされる。このストッパ１０は、操作部材６とは動作的に完全に切り離して設けられている。
【００１８】
開状態ロック部材４の前方に向く壁面には、プレート１２が固定されている。ストッパ１０が図４に示す第１の位置にあるとき、ストッパ１０の下方端がプレート１２の直上に位置する。したがって、乳母車を移動操作する人が誤って操作部材６を操作してワイヤ５を上方に引き上げるような動作を行なったとしても、開状態ロック部材４の上方への動きはストッパ１０によって阻止されるので、開状態ロック部材４と反転部材３との係合状態が解除されることはない。したがって、非常に安全性に優れたものとなる。
【００１９】
前述したように、乳母車を閉状態に移行させる場合には、図５に示すように手でストッパ１０を図における時計方向に回動させ、プレート１２の上を開放する。この状態で操作部材６を操作して開状態ロック部材４を上方に移動させて開状態ロック部材４と反転部材３との係合状態を解除する。引き続いてこの状態のままで、操作部材６を操作して開状態ロック部材４を上方に引き上げ、折畳み動作を行なう。図３に示した乳母車の閉状態では、ストッパ１０が後脚１に沿うように位置している。
【００２０】
乳母車を閉状態から開状態に移行させた場合には、ストッパ１０は自重によって図２に示す第１の位置にもたらされるので、ストッパ１０の掛け忘れを防止することができる。
【００２１】
図示した実施形態によれば、乳母車を開状態から閉状態に移行させる場合には、まずストッパ１０を操作し、引き続いて操作部材６を操作する必要がある。ストッパ１０は、操作部材６とは動作的に完全に切り離され、かつ位置的にも離れているので、上記のような２重操作は意識的でなければ行なうことができない。したがって、不意に開状態のロックが解除されてしまうという危険性を回避できる。
【００２２】
以上に説明しかつ図示した実施形態は、この発明を例示したものに過ぎない。したがって、この発明と同一の範囲内において、または均等の範囲内において種々の修正や変更が可能である。そのいくつかを以下に例示的に列挙して説明する。
【００２３】
（１）図示した実施形態では、ストッパは自重によって開状態ロック部材のプレートの直上に回動復帰するものであったが、必ずしも自重によって回動復帰するものでなくても良い。例えば、ストッパの動作を回動式ではなくスライド式にしても良い。また、ストッパをプレートの直上の位置（第１の位置）にまで復帰させる力として、自重ではなく、付勢力（弾性力）を発揮するばね等の付勢手段を利用するようにしても良い。あるいは、ストッパを手動で第１の位置および第２の位置（開状態ロック部材から離れて開状態ロック部材の動きを許容する位置）の両者に移動させるようなものであっても良い。
【００２４】
（２）図示した実施形態では、開状態ロック部材が、ストッパに係合するプレートを有していたが、そのようなプレート状の形態に限定されるものではない。要するに、開状態ロック部材が、ストッパに係合し得る部分を有していれば良く、その部分がどのような形状のものであっても良い。
【００２５】
（３）図示した実施形態では、押棒の下端部が反転部材を介して後脚に連結され、この押棒によって手摺部材の後端部分を支持していた。変形例として、例えば押棒が背面押しの状態および対面押しの状態に切換え可能な乳母車にあっては、押棒とは別に、手摺支持部材を設けるようにしても良い。この手摺支持部材は、その上方端が手摺部材の後端部に回動可能に連結され、その下方端が反転部材に回動可能に連結される。開状態ロック部材は、手摺支持部材に沿って上下動可能に設けられ、下方位置にあるとき反転部材に係合して反転部材の動きを禁止する。
【００２６】
（４）図示した実施形態では、開状態ロック部材はワイヤを介して操作部材によって移動操作されるものであったが、開状態ロック部材を移動させる手法としてワイヤを用いるものでなくても良い。
【００２７】
（５）図示した実施形態では、開状態ロック部材が反転部材に係合することにより乳母車の開状態をロックしていた。変形例として、折畳式乳母車が図示したような反転部材を備えていないものであっても良い。この場合、開状態ロック部材は、乳母車の車体の一部に係合して乳母車の開状態をロックする。
【図面の簡単な説明】
【図１】従来の乳母車を示す側面図である。
【図２】本発明の一実施形態を示す側面図である。
【図３】閉状態（折畳み状態）にある実施形態を示す側面図である。
【図４】図２に示す実施形態の要部を拡大して示す図である。
【図５】図４に示す状態から、ストッパを回動操作した後の状態を示す図である。
【符号の説明】
１  後脚、２  押棒、３  反転部材、４  開状態ロック部材、５  ワイヤ、６操作部材、７  手摺部材、１０  ストッパ、１１  軸、１２  プレート、１３
当たり止め。
【図１】
2004161039.tif 000003
【図２】
2004161039.tif 000004
【図３】
2004161039.tif 000005
【図４】
2004161039.tif 000006
【図５】
2004161039.tif 000007